(57)【要約】      （修正有）【課題】蓋を開放した後に、それを閉塞したとき、その閉塞状態を維持できる蓋付き容器を提供する。【解決手段】蓋３に一対のヒンジ部４が一直線上に形成され、その一対のヒンジ部４は連続しないように、互いに分離して配置されている。【選択図】図１
0003180767.tif 000002
【実用新案登録請求の範囲】
【請求項１】
容器本体(1)の開口縁にフランジ部(2)が形成され、そのフランジ部(2)にフィルム材または板材からなる蓋(3)が接合された蓋付き容器において、
その蓋(3)は剛性および弾性を有し、フランジ部(2)を周方向に離間してフランジ部(2)に対向する一対の位置で、それぞれ薄肉またはハーフカット、または断面Ｕ字状あるいはＶ字状とした、折り曲げの容易な一対のヒンジ部(4)が一直線上に形成され、その一対のヒンジ部(4)は連続しないように、互いに分離して配置されていることを特徴とする蓋付き容器。
【請求項２】
請求項１の蓋付き容器において、
その一対のヒンジ部(4)を境に蓋(3)の一部が片開き扉状に開放され、
蓋(3)の閉状態で、その一対のヒンジ部(4)を通る蓋(3)の第１横断面（ａ）は、容器本体(1)の底側に凹陥する凹曲面を有し、その第１横断面（ａ）に交差する第２横断面（ｂ）は、蓋(3)の外側に突出する凸曲面を有して、そのヒンジ(4)を含むその近傍が三次曲面(5)で形成され、
その一対のヒンジ部(4)の回りに蓋(3)の一部を一定以上回動して開くとき、その三次曲面(5)の弾性により、第１横断面（ａ）が突然、前記凹曲面から蓋(3)側に突出する凸曲面に変形して、その開状態が保持される自己保持機構を有することを特徴とする蓋付き容器。
【請求項３】
請求項２に記載の蓋付き容器において、
前記三次曲面(5)の平面外周は略楕円状に形成され、その長軸が前記第１横断面（ａ）上に存在し、前記第２横断面（ｂ）がその第１横断面（ａ）に直交する短軸上にある蓋付き容器。
【請求項４】
請求項３に記載の蓋付き容器において、
前記長軸に沿う楕円の弧がその両端から中心に次第に、フランジ部(2) からの深さの深くなる弧状壁(7)を形成する蓋付き容器。
【請求項５】
請求項３または請求項４に記載の蓋付き容器において、
第２横断面（ｂ）の前記短軸が、フランジ面に対して傾斜している蓋付き容器。
【考案の詳細な説明】
【技術分野】
【０００１】
本考案は、飲食物や各種材料を収納する蓋付き容器に関し、その蓋が容器本体のフランジ部に接合されると共に、その蓋の舌片部を持って開閉するとき、そのヒンジの周りの開状態および閉状態を維持できる自己保持機構を設けたものに関する。
【背景技術】
【０００２】
蓋付き容器において、容器本体と蓋との機密性または液密性を保つため、蓋が容器本体のフランジ部に接合されているものが存在する。
一般にその蓋は、軟質フィルムや硬質フィルムで形成されている。軟質フィルムを容器本体の開口のフランジに接着し、その端部をフランジより突出させて舌片部とし、その舌片部から蓋を開放し易くしたものが存在する。
さらには、容器本体とは接着されない着脱型の蓋において、硬質フィルムからなる蓋の一部を開閉自在にして、そこからストローを差し込み或いは、そこから飲み物を取り出すようにしたものも存在する。
【先行技術文献】
【特許文献】
【０００３】
【特許文献１】特開２００５−２９１８０号公報
【特許文献２】特開平０６−１０００５０号公報
【考案の概要】
【考案が解決しようとする課題】
【０００４】
比較的剛性または純剛性のフィル材または板材からなる蓋を有する蓋付き容器において、取り扱い性を良くするために、その蓋に開閉を容易にする一対のヒンジ部を有し、且つ気密性または液密性を保持しつつ、その一部を容易に開放できると共に、蓋を開放した後に、それを閉塞したとき、その閉塞状態を維持できるものを提供する。
【課題を解決するための手段】
【０００５】
請求項１に記載の本考案は、容器本体(1)の開口縁にフランジ部(2)が形成され、そのフランジ部(2)にフィルム材または板材からなる蓋(3)が接合された蓋付き容器において、
その蓋(3)は剛性および弾性を有し、フランジ部(2)を周方向に離間してフランジ部(2)に対向する一対の位置で、それぞれ薄肉またはハーフカット、または断面Ｕ字状あるいはＶ字状とした、折り曲げの容易な一対のヒンジ部(4)が一直線上に形成され、その一対のヒンジ部(4)は連続しないように、互いに分離して配置されていることを特徴とする蓋付き容器である。
【０００６】
請求項２に記載の本考案は、請求項１の蓋付き容器において、
その一対のヒンジ部(4)を境に蓋(3)の一部が片開き扉状に開放され、
蓋(3)の閉状態で、その一対のヒンジ部(4)を通る蓋(3)の第１横断面（ａ）は、容器本体(1)の底側に凹陥する凹曲面を有し、その第１横断面（ａ）に交差する第２横断面（ｂ）は、蓋(3)の外側に突出する凸曲面を有して、そのヒンジ(4)を含むその近傍が三次曲面(5)で形成され、
その一対のヒンジ部(4)の回りに蓋(3)の一部を一定以上回動して開くとき、その三次曲面(5)の弾性により、第１横断面（ａ）が突然、前記凹曲面から蓋(3)側に突出する凸曲面に変形して、その開状態が保持される自己保持機構を有することを特徴とする蓋付き容器である。
【０００７】
請求項３に記載の考案は、請求項２に記載の蓋付き容器において、
前記三次曲面(5)の平面外周は略楕円状に形成され、その長軸が前記第１横断面（ａ）上に存在し、前記第２横断面（ｂ）がその第１横断面（ａ）に直交する短軸上にある蓋付き容器である。
【０００８】
請求項４に記載の考案は、請求項３に記載の蓋付き容器において、
前記長軸に沿う楕円の弧がその両端から中心に次第に、フランジ部(2) からの深さの深くなる弧状壁(7)を形成する蓋付き容器である。
【０００９】
請求項５に記載の考案は、請求項３または請求項４に記載の蓋付き容器において、
第２横断面（ｂ）の前記短軸が、フランジ面に対して傾斜している蓋付き容器である。
【考案の効果】
【００１０】
請求項１に記載の考案は、予め容器本体１のフランジ部２の開口に接合される蓋３が剛性および弾性を有する。そして、その蓋３に一対のヒンジ部４が一直線上かつフランジ部２に対向する位置に形成され、その一対のヒンジ部４は連続しないように、互いに分離して配置されているものである。
そのため、容器本体１と蓋３との接合力に抗して、蓋３を持ち上げて開放するとき、一対のヒンジ部４で、蓋３と容器本体１とが枢着状態となり、その蓋３の一部を確実に片開きに開放することができる。このとき、一対のヒンジ部４を通り越して蓋３が不用意に開放され過ぎることがない。その理由は、一対のヒンジ部４が折り曲げ容易に形成され、蓋３との接合部が容器本体１のフランジ部２のみに形成されるからである。
しかも、一対のヒンジ部４は互いに分離しているので、それらの中間部の蓋３の剛性および弾性により、開放後に蓋を元に戻せば、閉塞状態を維持できる。
【００１１】
請求項２に移載の考案は、一対のヒンジ部４の回りに蓋３の一部を一定以上回動して開くとき、三次曲面５の弾性により、第１横断面ａが突然、前記凹曲面から蓋３側に突出する凸曲面に変形して、その開状態が保持される自己保持機構を有するものである。そのため、蓋３を開放するときも、その開放状態を保持することができる。それにより、容器本体１の内部のものを、容易に取り出すことができる。
【００１２】
請求項３に記載の考案は、前記三次曲面(5)の平面外周は略楕円状に形成され、その長軸が前記第１横断面（ａ）上に存在し、前記第２横断面（ｂ）がそれに直交する短軸上に存在するから、三次曲面の変形を容易に無理なく行い、使い勝手のよい蓋付き容器となる。
【００１３】
請求項４に移載の考案は、前記長軸に沿う楕円の弧がその両端から中心に次第に、フランジ部(2) からの深さの深くなる弧状壁(7)を形成するものである。それにより、体裁のよい三次曲面を容易に形成でき、蓋の自己保持機構を確保できる。
【００１４】
請求項５に記載の考案は、第２横断面（ｂ）の前記短軸が、フランジ面に対して傾斜しているので、その傾斜面の上流側の深さが、相対的に次第に浅くなる三次曲面となり、自然で、体裁のよい蓋付き容器となる。
【図面の簡単な説明】
【００１５】
【図１】本考案の第１実施例の蓋付き容器の斜視図。
【図２】（Ａ）は図１のII部拡大図、（Ｂ）は（Ａ）のＢ−Ｂ断面図、（Ｃ）は蓋の折り曲げ状態を示す拡大図。
【図３】本考案の第２実施例の要部断面拡大図であって、図２のＢ−Ｂ断面に相当する図。
【図４】本考案の第３実施例の蓋付き容器の斜視図およびその作用を示す説明図。
【図５】同容器の図４（Ａ）の一部拡大図。
【図６】同容器の蓋の作用を示す説明図。
【図７】本考案の第４実施例の蓋付き容器の斜視図およびその作用を示す説明図。
【図８】同第５実施例の蓋付き容器の斜視図および、その作用を示す説明図。
【考案を実施するための形態】
【００１６】
次に、図面に基づいて本考案の実施の形態につき説明する。
【実施例１】
【００１７】
図１は本考案の第１実施例であり、図２（Ａ）は図１のII部拡大図、（Ｂ）は（Ａ）のＢ−Ｂ断面図、（Ｃ）は蓋の折り曲げ状態を示す拡大図を示す。
この蓋付き容器は逆円錐台形状の容器本体１の開口端にフランジ部２を有し、そのフランジ部２に蓋３がヒートシール等により、そのフランジ部２の全周に渡り、均一な接合力で気密及び液密に接合されている。
この蓋３は、剛性および弾性を有するプラスチックシートからなり、その一端に舌片部６を半径方向外側に突設している。そして舌片部６とその中心とを結ぶ直径線上に直交するようにその他端部に片寄って、一対のヒンジ部４が形成されている。
【００１８】
この一対のヒンジ部４は、舌片部６を中心に、その両側へフランジ部２を周方向に等距離に離間した一対の位置で、図２（Ｂ）に示す如く、その部分が薄肉になるように、その上面側にＶ字にハーフカットされ、それにより折り曲げの容易な部分となる。そして一対のヒンジ部４は一直線上に形成され、それらは連続しないように、互いに分離し、フランジ部２に対向する位置のみに形成されている。なお、この例では一対のヒンジ部４が舌片部６から等距離に存在するが、本考案はそれに限定されない。
また、舌片部の代わりに、図１に示す如く、蓋３の縁に開放の開始端6aとして、三角表示の開放表示マーク6bのみを付したものであってもよい。
なお、蓋３は外周が僅かに筒状に形成され、一対のヒンジ部４の位置でその筒状部が欠切されて欠切部８を形成する。それにより、ヒンジ部４の折れ曲がりを容易にする。
【００１９】
（実施例１の作用）
そして、舌片部６を保持して上方に強く持ち上げると、舌片部６から一対のヒンジ部４まで剥離する。そして一対のヒンジ部４に達すると、蓋３はヒンジ部４で折れ曲がり容器本体１の上端を開口する。このとき、一対のヒンジ部４は蓋３の枢着部を構成する。この状態を示すのが図２（Ｃ）である。そのヒンジ部４は、図２（Ａ）（Ｂ）に示す如くハーフカットされているため、折れ曲がり易い。
しかしながら、一対のヒンジ部４を除いてはハーフカットされていないので、その弾性によって蓋３は元に戻ろうとする。そこで、蓋３を開放状態に保持して容器本体１の内容物を外部に取り出し、その後に蓋３を元に戻すと、その弾性力によって閉塞状態を保持する。
【実施例２】
【００２０】
図３は、ヒンジ部４の他の実施例の要部断面であり、この例が第１実施例の図２（Ｂ）のそれと異なる点は、そのハーフカット部がＷ状に形成されたことである。なお、そのハーフカット部は断面Ｕ字状その他に形成してもよい。
【実施例３】
【００２１】
次に、図４及び図５は本発明の第３実施例であり、この例が第１実施例と異なる点は、蓋３の上面に凹陥部が設けられたものである。
この例は、そのヒンジ部４間を結ぶ直線または曲線の第１横断面ａを長軸とした平面楕円形の三次曲面５が凹陥されている。
この三次曲面５は、第１横断面ａに直交する第２横断面ｂを有する。その第１横断面ａは蓋３の閉塞状態において図４（Ｂ）の如く容器本体１の底1a側に凹陥する湾曲面を有し、第２横断面ｂは図４（Ｃ）の如く、その底1aに対して外側に突出する凸曲面を有する。
そしてこの第１横断面ａの凹曲面と第２横断面ｂの凸曲面を形成するため、互いに対向する一対の楕円の弧が、その両端から中心に次第に深さを深くする弧状壁７に形成されている。
【００２２】
即ち、弧状壁７の両端部はその深さが殆どなく、中心部は最も深い。この深さとは、容器本体１のフランジ部２からの深さをいう。
三次曲面５は、蓋３の他端部のみにあり、その他は平坦に形成されている。このようにすることにより、同一の蓋付き容器を上下方向に重ねることができる。即ち、上の容器本体１の底1aが、下の容器の蓋３に垂直に載置される。
【００２３】
（実施例３の作用）
ここで、舌片部６を上方に持ち上げ、容器本体１のフランジ部２との接着を剥がしていくと、三次曲面５は次第に変形し、蓋３がある一定以上回動されると三次曲面５の弾性により、第１横断面ａが突然凹曲面から凸曲面に変形して、その開状態が保持される。その作用は、図４（Ｃ）の破線、および図６（Ａ）から（Ｂ）に示す通りである。
即ち、図６の（Ａ）の状態から第１断面ａの周りに蓋を回転させると、三次曲面５は（Ａ）の状態から（Ｂ）の状態に突然変形し、その状態を自己保持する。本考案では、これを自己保持機構という。そして図６（Ｂ）の状態では、第１横断面ａが凸曲面となり、第２横断面ｂが凹曲面となる。
【００２４】
なお、図６では説明を分かり易くするため、三次曲面５の厚みを、実際よりも厚く誇張して記載している。この蓋３は、比較的薄い剛性及び弾性を有する硬質フィルムからなる。そして図４の例では、ヒンジ部４線上において、蓋３の外周は図５に示す如くＶ字状に欠切され容易に蓋が、開閉できるようにしている。
【実施例４】
【００２５】
次に、図７は本考案の第４実施例であり、この例が図４の第３実施例と異なる点は、ヒンジ部４の構造のみである。この例のヒンジ部４は、蓋３に設けた一対の長孔からなり、その長孔の長軸が枢着部を形成する。
【実施例５】
【００２６】
次に、図８は本考案の第５実施例であり、この例が図４のそれと異なる点は、弧状壁７が楕円の一方側であって、容器本体１のフランジ部２に沿って配置されているものである。そして三次曲面５の第２横断面ｂは、容器本体１のフランジ面に対して傾斜し、フランジから中心に向って次第にその深さを浅くしている。なお、想像線ｃは三次曲面５と平面との境を表す。
この例においても、蓋３の閉塞状態において、第１横断面ａは凹陥し第２横断面ｂが突出する。その作用効果も図４と同一である。そして、蓋３を開放するとき、図８（Ｂ）の水平状態から垂直状態に移行する。
【００２７】
（変形例）
第４実施例では、三次曲面５が一方側に偏り、それにより蓋３をより大きく開放することができる。それに代えて、三次曲面５を蓋３の中央部に設けてもよい。それにより、蓋の半分程を開放できる。なお、三次曲面を舌片部６の近傍に設けることもできる。この場合、蓋３の開放を小さくできる。それにより、内容物を少量づつ取り出すことができる。
それらの、三次曲面５の各作用効果は図４の作用効果と同一である。そして、蓋３を開放すると、水平状態から垂直状態に移行する。
また、この変形例の三次曲面５も蓋３の一部にのみ設けられ、他の部分は平坦に形成されるから、同一の蓋付き容器を上下方向に重ねることができる。そのとき、各蓋付き容器の軸線は、略同心になる。
【符号の説明】
【００２８】
１  容器本体
1a  底
２  フランジ部
３  蓋
４  ヒンジ部
５  三次曲面
６  舌片部
6a  開始端
6b  開放表示マーク
７  弧状壁
８  欠切部
ａ  第１横断面
ｂ  第２横断面
ｃ  想像線
【図１】
0003180767.tif 000003
【図２】
0003180767.tif 000004
【図３】
0003180767.tif 000005
【図４】
0003180767.tif 000006
【図５】
0003180767.tif 000007
【図６】
0003180767.tif 000008
【図７】
0003180767.tif 000009
【図８】
0003180767.tif 000010